(57)【要約】【課題】使用者の指全体、即ち、基節部と近位指節間関節と中節部と遠位指節間関節と末節部とのすべて、を確実に保護し、かつ、使い勝手の良い指保護具を提供する。【解決手段】複数個の湾曲板１、１・・・を折曲自在に連接してなる指保護具。指の基節部ａの甲側を保護する基節部用湾曲板１ａと指の中節部ｂの甲側を保護する中節部用湾曲板１ｂとを指の近位指節間関節ｄの甲側を保護する近位指節間関節用湾曲板１ｄを介して折曲自在に連接し、該中節部用湾曲板１ｂと指の末節部ｃの甲側を保護する末節部用湾曲板１ｃとを指の遠位指節間関節ｅの甲側を保護する遠位指節間関節用湾曲板１ｅを介して折曲自在に連接してなる指保護具。【選択図】図１
2006291405.tif 000002
【特許請求の範囲】
【請求項１】
複数個の湾曲板を折曲自在に連接してなることを特徴とする指保護具。
【請求項２】
指の基節部の甲側を保護する基節部用湾曲板と指の中節部の甲側を保護する中節部用湾曲板とを指の近位指節間関節の甲側を保護する近位指節間関節用湾曲板を介して折曲自在に連接し、該中節部用湾曲板と指の末節部の甲側を保護する末節部用湾曲板とを指の遠位指節間関節の甲側を保護する遠位指節間関節用湾曲板を介して折曲自在に連接してなることを特徴とする指保護具。
【請求項３】
前記各湾曲板は連接ピンを介して折曲自在に連接したことを特徴とする請求項１又は２に記載の指保護具。
【請求項４】
複数個の筒状体を折曲自在に連接してなることを特徴とする指保護具。
【請求項５】
前記筒状体は連接ピンを介して折曲自在に連接したことを特徴とする請求項４に記載の指保護具。
【請求項６】
前記指保護具は手袋における指部の内側に取り付けたことを特徴とする請求項１〜５のいずれかに記載の指保護具。
【発明の詳細な説明】
【技術分野】
【０００１】
本発明は、手の指を保護する指保護具に関するものである。本発明による指保護具は、例えば、水産食品加工機械その他の機械のオペレータの指を鋸、グラインダー、刃物等から保護し、調理作業等において作業者の指を包丁等から保護し、警察官等の指を他人による攻撃から保護し、或いは競艇選手の指をスクリューから保護するため等に使用される。
【背景技術】
【０００２】
特開２００２−１２９４１７号公報は、硬鋼線の補強部材を備えた保護手袋（以下「従来の保護手袋」という。）を開示している。この従来の保護手袋においては、硬鋼線の補強部材は、手の甲側の指先から手首を結ぶ線上に配設されている。
【０００３】
本出願人の出願に係る意匠登録第１２０１２２３号公報は、金属により一体的に形成された指保護具（以下「従来の指保護具」という。）を開示している。
【特許文献１】特開２００２−１２９４１７号公報
【特許文献２】意匠登録第１２０１２２３号公報
【発明の開示】
【発明が解決しようとする課題】
【０００４】
しかるに、上記従来の保護手袋においては、硬鋼線の補強部材が刃物等により容易に切断されるため、指が十分には保護されないという問題がある。
【０００５】
また、上記従来の指保護具は、手の指における近位指節間関節ｄよりも先の部分、即ち中節部ｂの大部分と遠位指節間関節eと末節部ｃとを保護するにとどまり、近位指節間関節ｄと基節部ａとを保護するものではない。手の指の各部については、図７参照。なお、図７においては、中指についてのみ符号を付した。
【０００６】
更に、上記従来の指保護具は、金属により一体的に形成されたものであって、指の折曲に追随して折曲することができないものであるため、使い勝手が良くないという問題もある。
【０００７】
本発明は、上記従来の保護手袋及び指保護具における上述の如き問題を解決し、使用者の指全体、即ち、基節部ａと近位指節間関節ｄと中節部ｂと遠位指節間関節eと末節部ｃとのすべて、を確実に保護し、かつ、使い勝手の良い指保護具を提供しようとしてなされたものである。
【課題を解決するための手段】
【０００８】
上記課題を解決するために、本発明は、下記の指保護具を提供する。
【０００９】
（１）複数個の湾曲板を折曲自在に連接してなることを特徴とする指保護具（請求項１）。
【００１０】
（２）指の基節部の甲側を保護する基節部用湾曲板と指の中節部の甲側を保護する中節部用湾曲板とを指の近位指節間関節の甲側を保護する近位指節間関節用湾曲板を介して折曲自在に連接し、該中節部用湾曲板と指の末節部の甲側を保護する末節部用湾曲板とを指の遠位指節間関節の甲側を保護する遠位指節間関節用湾曲板を介して折曲自在に連接してなることを特徴とする指保護具（請求項２）。
【００１１】
（３）前記各湾曲板は連接ピンを介して折曲自在に連接する（請求項３）。
【００１２】
（４）複数個の筒状体を折曲自在に連接してなることを特徴とする指保護具（請求項４）。
【００１３】
（５）前記筒状体は連接ピンを介して折曲自在に連接する（請求項５）。
【００１４】
（６）前記指保護具は手袋における指部の内側に取り付ける（請求項６）。
【００１５】
［発明の作用］
［請求項１の発明］
請求項１の指保護具を手の指に取り付けたときには、各湾曲板が手の指を鋸、グラインダー、刃物、包丁、スクリューその他の危険物から保護する。
【００１６】
指保護具は、指の折曲に追随して折曲する。
【００１７】
［請求項２の発明］
請求項２の指保護具は、基節部から末節部までの指全体、即ち、基節部と近位指節間関節と中節部と遠位指節間関節と末節部とを保護する。
【００１８】
その他の点においては、請求項２の発明は、前記請求項１の発明と同様の作用を有する。
【００１９】
［請求項３の発明］
各湾曲板は連接ピンを介して相互に折曲する。
【００２０】
［請求項４の発明］
請求項４の指保護具を手の指に取り付けたときには、各筒状体が手の指における掌側を含む指全体を鋸、グラインダー、刃物、包丁、スクリューその他の危険物から保護する。
【００２１】
指保護具は、指の折曲に追随して折曲する。
【００２２】
［請求項５の発明］
各筒状体は連接ピンを介して相互に折曲する。
【００２３】
［請求項６の発明］
指保護具は、手袋の指部と共に、指の折曲に追随して折曲する。
【発明の効果】
【００２４】
［請求項１の発明］
請求項１の指保護具を手の指に取り付けたときには、各湾曲板が手の指を危険物から確実に保護する。
【００２５】
各湾曲板を指の甲側を覆うように取り付けたときには、指保護具の使用者は、指の掌側による感触を支障なく利用することができる。
【００２６】
指保護具は、指の折曲に追随して折曲するため、使い勝手が極めて良好である。
【００２７】
［請求項２の発明］
請求項２の指保護具は、基節部から末節部までの指全体、即ち、基節部と近位指節間関節と中節部と遠位指節間関節と末節部とを確実に保護する。
【００２８】
その他の点においては、請求項２の発明は、前記請求項１の発明と同様の効果を発揮する。
【００２９】
［請求項３の発明］
各湾曲板は、連接ピンを介して連接されているため、相互に円滑に折曲する。
【００３０】
その他の点においては、請求項３の発明は、前記請求項１又は２の発明と同様の効果を発揮する。
【００３１】
［請求項４の発明］
請求項４の指保護具を手の指に取り付けたときには、各筒状体が手の指における掌側を含む指全体を危険物から保護する。
【００３２】
指保護具は、指の折曲に追随して折曲するため、使い勝手が極めて良好である。
【００３３】
［請求項５の発明］
各筒状体は、連接ピンを介して連接されているため、相互に円滑に折曲する。
【００３４】
その他の点においては、請求項５の発明は、前記請求項４の発明と同様の効果を発揮する。
【００３５】
［請求項６の発明］
指保護具は、手袋の指部と共に、指の折曲に追随して折曲するため、使い勝手が極めて良好である。
【発明を実施するための最良の形態】
【００３６】
指保護具は、複数個の湾曲板１、１・・・を折曲自在に連接してなるものである。
【００３７】
各湾曲板１は、指の断面形状に近い形状に湾曲している。各湾曲板１は、示指、中指、薬指、小指については、指の甲側に取り付けられるが、母指については、使用目的に応じて、指の甲側又は指の掌側に取り付けられる。
【００３８】
図１〜図３に示す指保護具は、指の基節部ａの甲側を保護する基節部用湾曲板１ａと指の中節部ｂの甲側を保護する中節部用湾曲板１ｂとを指の近位指節間関節ｄの甲側を保護する近位指節間関節用湾曲板１ｄを介して折曲自在に連接し、該中節部用湾曲板１ｂと指の末節部ｃの甲側を保護する末節部用湾曲板１ｃとを指の遠位指節間関節ｅの甲側を保護する遠位指節間関節用湾曲板１ｅを介して折曲自在に連接してなる。
【００３９】
前記各湾曲板１（１ａ、１ｂ、１ｃ、１ｄ、１ｅ）は、好ましくは、連接ピン３を介して折曲自在に連接する。
【００４０】
図５に示す指保護具は、複数個の筒状体５、５・・・を折曲自在に連接してなるものである。
【００４１】
各筒状体５は、指の甲側のみならず、指の掌側を含む指全体を保護する。
【００４２】
前記筒状体５は、好ましくは、連接ピン７を介して折曲自在に連接する。
【００４３】
前記湾曲板１（１ａ、１ｂ、１ｃ、１ｄ、１ｅ）と筒状体５は、例えば、ステンレス鋼、アルミニウム等の金属、或いはポリカーボネート等の合成樹脂により形成する。
【００４４】
指保護具は、好ましくは、図６に示すように、手袋における各指部９の内側に取り付ける。
【００４５】
即ち、指保護具は、好ましくは、手袋における各指部９の内側に逢着する。
【００４６】
図６に示す事例においては、手袋における各指部９の内側に支持布１１を設け、該指部９と支持布１１との間に指保護具を挿着している。
【００４７】
なお、手袋は、必要に応じて防水性の材料により形成する。
【図面の簡単な説明】
【００４８】
【図１】本発明による指保護具の使用状態の一例を示す側面図である。
【図２】同上指保護具の側面図である。
【図３】同上指保護具の平面図である。
【図４】同上指保護具の連接状態を拡大して示す断面図である。
【図５】本発明による指保護具の別の一例を示す斜視図である。
【図６】本発明による指保護具を手袋における指部の内側に取り付けた状態を示す断面図である。
【図７】指の各部の甲側を参考用に示す平面図である。
【符号の説明】
【００４９】
ａ  基節部
ｂ  中節部
ｃ  末節部
ｄ  近位指節間関節
ｅ  遠位指節間関節
１  湾曲板
１ａ  基節部用湾曲板
１ｂ  中節部用湾曲板
１ｃ  末節部用湾曲板
１ｄ  近位指節間関節
１ｅ  遠位指節間関節
３  連接ピン
５  筒状体
７  連接ピン
９  手袋における指部
１１  支持布
【図１】
2006291405.tif 000003
【図２】
2006291405.tif 000004
【図３】
2006291405.tif 000005
【図４】
2006291405.tif 000006
【図５】
2006291405.tif 000007
【図６】
2006291405.tif 000008
【図７】
2006291405.tif 000009